(57)【要約】【課題】  ユーザが操作を誤らずに容易に被写体を撮影できるビデオ撮影方法を提供する。【解決手段】ユーザがビデオカメラのファインダを覗きながら、ビデオカメラ１の撮影機能に対応して設けられた複数の操作部３、５、６、７を操作してビデオカメラ１の撮像レンズ９から入射する被写体画像を撮影する際に、前記ファインダ４内の表示部に前記複数の操作部に対応するユーザの指と複数の操作部３、５、６、７に関連づけられた撮影機能の名称を表示させて撮影する。【選択図】      図１
2006109293.tif 000002
【特許請求の範囲】
【請求項１】
ユーザがビデオカメラのファインダを覗きながら、前記ビデオカメラの撮影機能に対応して設けられた複数の操作部を操作して、前記ビデオカメラの撮像レンズから入射する被写体画像を撮影するビデオ撮影方法において、
前記ユーザが前記被写体画像を撮影する際に、前記ファインダ内の表示部に前記複数の操作部に対応する前記ユーザの指と前記複数の操作部に関連づけられた撮影機能の名称を表示させて撮影することを特徴とするビデオ撮影方法。
【発明の詳細な説明】
【技術分野】
【０００１】
本発明は、ビデオ装置が備えている機能を誤ることなく操作ができるビデオ撮影方法に関するものである。
【背景技術】
【０００２】
最近のビデオ装置の機能は複雑化しており、ビデオ撮影時に必要な操作ボタンがわからず誤った操作を行ってしまうことが多い。
この対策として特許文献１には、容易に操作を行ってビデオ撮影ができるビデオ装置が記載されている。
即ち、特許文献１には、ビデオカメラのファインダ内の表示部にズームレンズ位置表示やフォーカス距離表示をさせた状態で、前記ビデオカメラのレンズを介して入射する被写体画像をファインダ側から覗いた状態でズームボタンやフォーカスボタンを操作して広角・望遠のズーム操作及びフォーカスを行って撮影することが記載されている。
【特許文献１】特開平４−２２１９４４号公報
【発明の開示】
【発明が解決しようとする課題】
【０００３】
しかしながら、このビデオカメラが家庭用として用いられる場合には、運動会や旅行といった特別な場合がほとんどであり、使用頻度が少ないため、ユーザが操作に習熟していないことにより誤操作することがあった。
例えば、ズームボタンを操作する際に広角、望遠の方向を誤ったり、操作したい操作ボタン位置を目視で確認するためモニタ画面やファインダなどから目をそらしている間に、撮影映像が被写体からずれてしまったりするといった問題があった。
【０００４】
また、このビデオカメラは、アマチュアからプロまでの様々なユーザが用いることを想定して作製されているため、多機能となり、撮影中の操作にどの操作ボタンを操作して良いのか初心者のユーザに混乱を招くこともあった。
【０００５】
そこで、本発明は、上記のような問題点を解消するためになされたもので、ユーザが操作を誤らずに容易に被写体を撮影できるビデオ撮影方法を提供することを目的とする。
【課題を解決するための手段】
【０００６】
本発明は、ユーザがビデオカメラのファインダを覗きながら、前記ビデオカメラの撮影機能に対応して設けられた複数の操作部を操作して、前記ビデオカメラの撮像レンズから入射する被写体画像を撮影するビデオ撮影方法において、前記ユーザが前記被写体画像を撮影する際に、前記ファインダ内の表示部に前記複数の操作部に対応する前記ユーザの指と前記複数の操作部に関連づけられた撮影機能の名称を表示させて撮影することを特徴とするビデオ撮影方法を提供する。
【発明の効果】
【０００７】
本発明によれば、前記ユーザが前記被写体画像を撮影する際に、前記ファインダ内の表示部に前記複数の操作部に対応する前記ユーザの指と前記複数の操作部に関連づけられた撮影機能の名称を表示させて撮影するので、ユーザが操作を誤らずに容易に被写体を撮影できる。
【発明を実施するための最良の形態】
【０００８】
本発明の実施の形態に係るビデオ撮影方法について図１〜図７を用いて説明する。
図１は、本発明の実施の形態に用いられるビデオカメラを示す図である。図２は、図１に示すビデオカメラを矢印ＡＡ方向から見た側面図である。図３は、図１に示すビデオカメラで使用する液晶モニタ内に表示された被写体画像及びユーザの指と対応する撮影機能の名称を示す図である。図４は、図３における液晶モニタ内にズーム状態を示す表示を追加した図である。図５は、本発明の実施の形態の変形例に用いられるビデオカメラを示す図である。図６は、図５に示すビデオカメラを矢印ＢＢ方向から見た側面図である。図７は、図５に示すビデオカメラで使用する液晶モニタ内に表示された被写体画像及びユーザの指と対応する撮影機能の名称を示す図である。
【０００９】
まずは、本発明の実施の形態におけるビデオ撮影方法に用いられるビデオカメラについて図１及び図２を用いて説明する。
図１及び図２に示すように、ビデオカメラ１は、カメラ本体８と、このカメラ本体８の一端に取り付けられた撮像レンズ９及び他端に取り付けられたファインダ４と、からなる。更に、カメラ本体８の側面には、ユーザの各指に対応した人差指用溝１１、中指用溝１２、薬指用溝１３及び小指用溝１４が形成され、その上部には、広角ズームボタン６、望遠ズームボタン７及び静止画ボタン５が形成されている。更にまた、カメラ本体８のファインダ４側には、撮影ボタン３が形成されている。
【００１０】
そして、カメラ本体８の各指用溝が形成されている側には、カメラ本体８を保持するためにユーザの片手を差し込めるグリップベルト２が取り付けられ、カメラ本体８の各指用溝が形成されている側と反対側には、カメラ本体８に対して直交する方向に稼動自在の液晶モニタ１０が取り付けられている。
【００１１】
次に、撮影方法について説明する。
ユーザは、カメラ本体８とグリップベルト２に片手を差込んでカメラ本体を保持する。この際、ユーザの各指は、それぞれ人差指用溝１１、中指用溝１２、薬指用溝１３、小指用溝１４に置かれる。このようにすることにより各指を動かすことにより対応する各操作ボタンを操作することができる。
次に、ファインダ４内の表示部及び液晶モニタ１０に各ボタン３、５、６、７に対応するユーザの指の名称と、この各ボタン３、５、６、７に関連づけられた撮影機能の名称を表示させ、各指と各撮影機能は一義的な関係にある。即ち、親指は、撮影開始停止ボタン３、人差指は、静止画ボタン５、中指は、広角ズームボタン６、薬指は、望遠ズームボタン７に対応している。
ビデオカメラ１のファインダ４を覗いて、被写体を撮像レンズ９を通して見る。このとき、図３に示すように液晶モニタ１０にも被写体が表示される。
そして、撮影開始停止ボタン３を親指で押して、撮影モードにする。
【００１２】
この後、被写体を拡大したい場合には、望遠ズームボタン７を薬指で操作し、広角にしたい場合には、広角ズームボタン６を中指で操作する。静止画にしたい場合には、静止画ボタン５を人指し指で押して操作する。この際、図４に示すように、液晶モニタ内にズーム状態を示す棒状の表示を追加すると望遠或いは広角のレベルが把握できる等便利さが増す。
こうして、被写体を撮影し終わったら撮影開始停止ボタン３を親指で押して停止する。撮影した被写体は、カメラ本体８の内部にある図示しない記録媒体に記録される。
【００１３】
以上のように、本発明の実施の形態によれば、ファインダ４内の表示部及び液晶モニタ１０に各ボタン３、５、６、７に対応するユーザの指と、この各ボタン３、５、６、７に関連づけられた撮影機能の名称を表示させて撮影を行うので、ユーザが操作を誤らずに容易に被写体を撮影できる。
更に、各ボタン３、５、６、７を探す必要が無く、液晶モニタ１０やファインダ４から目をそらさないで撮影することができるため、ビデオカメラ１が被写体からずれることを防止できる。
【００１４】
次に、本発明の実施の形態の変形例について図５乃至図７を用いて説明する。
図５及び図６に示すビデオカメラ１５は、図１に示すビデオカメラ１の広角用ズームボタン６及び望遠用ズームボタン７の代わりに１つのボタンで兼用したズームボタン１６を用いたものであり、以外は、同様である。
この場合にも、ビデオカメラ１のファインダ４を覗いて、被写体を撮像レンズ９を通して見たときには、図７に示すように、実施の形態と同様に、液晶モニタ１０にも被写体が表示される。
【００１５】
このようにすると、ボタンとユーザの指との関係で、指が一本余るので、ビデオカメラ１５に他の機能を付加することができ、より撮像機能を増すことができる。このため、多彩な機能を生かしたユーザが満足する撮影画像を得ることができる。
なお、本発明の実施の形態では、ユーザの指の名称を文字によって表示させたが、ユーザの指を図形で表示しても良い。このようにすれば、視覚的に認識できるので、使い勝手がより増す。
【図面の簡単な説明】
【００１６】
【図１】本発明の実施の形態に用いられるビデオカメラを示す図である。
【図２】図１に示すビデオカメラを矢印ＡＡ方向から見た側面図である。
【図３】図１に示すビデオカメラの液晶モニタ内に表示された被写体画像及びユーザの指と対応する撮影機能の名称を示す図である。
【図４】図３における液晶モニタ内にズーム状態を示す表示を追加した図である。
【図５】本発明の実施の形態の変形例に用いられるビデオカメラを示す図である。
【図６】図５に示すビデオカメラを矢印ＢＢ方向から見た側面図である。
【図７】図５に示すビデオカメラの液晶モニタ内に表示された被写体画像及  びユーザの指と対応する撮影機能の名称を示す図である。
【符号の説明】
【００１７】
１…ビデオカメラ、２…グリップベルト、３…撮影開始停止ボタン、４…ファインダ、５…静止画ボタン、６…広角ズームボタン、７…望遠ズームボタン、８…カメラ本体、９…撮像レンズ、１０…液晶モニタ、１１…人差指用溝、１２…中指用溝、１３…薬指用溝、１４…小指用溝、１５…ビデオカメラ、１６…ズームボタン
【図１】
2006109293.tif 000003
【図２】
2006109293.tif 000004
【図３】
2006109293.tif 000005
【図４】
2006109293.tif 000006
【図５】
2006109293.tif 000007
【図６】
2006109293.tif 000008
【図７】
2006109293.tif 000009